(57)【要約】【課題】水量や水流の激しい洪水や浸水においても、従来にない高い止水効果が期待でき、また、廃棄物の回収・処理の問題も発生せず、しかも、保管や設置が容易な水害時における止水用施工具を、低価格で提供すること。【解決手段】水の流入を防止しようとする部位の路面上に敷設した止水クッション１と、その上部に設置された防水シート２と、該防水シート２の上部であって、前記路面上に敷設された止水クッション１と重なる部位に載置される水嚢又は土嚢３とからなり、該水嚢又は土嚢３を前記防水シート２の余剰部分で包み込むことで施工する。【選択図】図１
0003202882.tif 000002
【実用新案登録請求の範囲】
【請求項１】
水の流入を防止しようとする部位の路面上に敷設される止水クッションと、該止水クッションの上部に設置される防水シートと、該防水シートの上部であって、前記路面上に敷設された止水クッションと重なる部位に載置される開閉可能な開口部を有する防水性袋に水を充填した水嚢とを有し、該水嚢を前記防水シートの余剰部分で包み込むことによって施工することを特徴とする水害時における止水用施工具。
【請求項２】
水の流入を防止しようとする部位の路面上に敷設される止水クッションと、該止水クッションの上部に設置される防水シートと、該防水シートの上部であって、前記路面上に敷設された止水クッションと重なる部位に載置される開閉可能な開口部を有する袋に土を充填した土嚢とを有し、該土嚢を前記防水シートの余剰部分で包み込むことによって施工することを特徴とする水害時における止水用施工具。
【請求項３】
水の流入を防止しようとする部位の路面上に敷設される止水クッションと、該止水クッションの上部に設置される防水シートと、該防水シートの上部であって、前記路面上に敷設された止水クッションと重なる部位に載置される撥水性容器と、開閉可能な開口部を有する防水性袋に水を充填した水嚢とを有し、該水嚢を収納した前記撥水性容器を前記防水シートの余剰部分で包み込むことによって施工することを特徴とする水害時における止水用施工具。
【請求項４】
水の流入を防止しようとする部位の路面上に敷設される止水クッションと、該止水クッションの上部に設置される防水シートと、該防水シートの上部であって、前記路面上に敷設された止水クッションと重なる部位に載置される撥水性容器と、開閉可能な開口部を有する袋に土を充填した土嚢とを有し、該土嚢を収納した前記撥水性容器を前記防水シートの余剰部分で包み込むことによって施工することを特徴とする水害時における止水用施工具。
【請求項５】
前記止水クッションは低反発の発泡ウレタン製又はゴムスポンジ製であることを特徴とする請求項１乃至請求項４に記載の水害時における止水用施工具。
【考案の詳細な説明】
【技術分野】
【０００１】
本考案はゲリラ豪雨や津波、河川の氾濫などを原因として、洪水や浸水が発生し又は発生する虞がある場合に用いられる、水害時における止水用施工具に関するものである。
【背景技術】
【０００２】
従来から、洪水や浸水が発生し又は発生する虞がある場合は、袋の中に土を入れた土嚢を用いて、水が流入して欲しくない場所や建造物の入口にこれを設置することが行われている。しかし、路面が舗装されているために大量の土を入手できない都市部では、袋の中に水を入れた水嚢が土嚢に代わって用いられる傾向が増えつつある。
【０００３】
また、最近では特許文献１や特許文献２に示すように、吸水ポリマーを内包した袋を用い、水を吸収して膨張したらそのまま浸水防止具として用いられる水膨張性土嚢や水のうが開発されているが、吸水ポリマーは水を瞬時に吸収できる訳ではなく、十分に吸収するまで５〜１０分の時間を要し、仮に３０袋を施工するとすれば２時間半〜５時間も要するため、大量の水が流れてきた場合は、吸水ポリマーが水を吸収している間に建物内等に水が流入してしまうという問題がある。しかも、水分を吸収した吸水ポリマーはそのまま放置しても元に戻る訳ではなく、廃棄物として処理しなければならないため、各家庭や各店舗が特許文献１の水膨張性土嚢や特許文献２の水のうを使用したとすれば、街中が吸水ポリマーの入った大量の廃棄物で溢れてしまい、その回収・処理という別の問題を発生してしまう虞がある。因みに、水を吸収した吸水ポリマーは１週間の放置で内部の水が腐敗し悪臭を放つようになる。加えて、吸水ポリマーを内包した袋の多くは1枚で１，０００〜２，０００円と高額であるため、現実に水害が来た場合はまだしも、せっかく数十枚の袋に水を吸収させたにも拘わらず、結局のところ水害が来なかった場合には全て無駄になり、不経済であるという問題もあった。
【０００４】
このように、使用後の処理やコストの点で、給水ポリマーを内包した袋より袋の中に土を詰めた土嚢の方が望ましいが、先に述べたとおり、路面が舗装された都市部では大量の土の入手が困難であるという問題がある。また、水の流入を防ぐためには土嚢と路面との接地の密着性が最も重要であるが、袋の中に土を入れた土嚢の場合、路面との隙間を埋めることが非常に難しく、その密着性が十分に得られないといった欠点がある。その点、袋の中に水を入れる水嚢では、路面との接地の密着性も高く、急なゲリラ豪雨が来ても、建物内にある蛇口を回して袋内に水を満たすだけで直ぐに設置できるうえ、洪水や浸水が引いた使用後はその水を流すだけで良く、袋を再利用できることはもちろん、廃棄物を発生することもないため、自治体による回収・処理の問題を惹き起こすこともない。なお、使用後の水はただ流すだけでなく、汚泥に拠る建造物及び自動車の汚れの洗浄や、植物への水やりなどに利用することもできる。その意味では、少なくとも都市部では、使用後の処理やコストの点で水嚢の方が土嚢より優れているといえる。因みに、出願人による度重なる実験の結果、同様の条件下で、袋の中に水を入れた水嚢の方が土を入れた土嚢よりも遥かに路面との接地の密着性が高いことも明らかとなった。
【０００５】
しかしながら、地球温暖化によってもたらされた昨今の異常気象から、各地で５０年〜１００年振りといわれる風雨をもたらスーパー台風やゲリラ豪雨が発生するようになっており、従来基準に拠るこれら土嚢や水嚢では到底対応できない水量と水流を伴う洪水や浸水が頻繁に発生するようになっている。そのような場面では特許文献３に係る防災用水のう集合体のように、複数の土嚢や水嚢を連設することで一定の効果を期待することができるが、軟質樹脂バッグを収納したフレキシブルコンテナバッグと路面との接地の密着性が十分ではないため、水量や水流の激しい洪水や浸水では、路面との間に生じた隙間からの漏水や水の流入を防ぐことは困難であった。
【先行技術文献】
【特許文献】
【０００６】
【特許文献１】実用新案登録第３１４７９５８号公報
【特許文献２】実用新案登録第３１９１９７０号公報
【特許文献３】実用新案登録第３１４４０５８号公報
【考案の概要】
【考案が解決しようとする課題】
【０００７】
本考案が解決しようとする課題は、水量や水流の著しい洪水や浸水が発生した場合でも、従来にない止水効果が期待でき、また、廃棄物の回収・処理の問題も発生せず、しかも、保管や設置が容易な水害時における止水用施工具を、低価格で提供する点にある。
【課題を解決するための手段】
【０００８】
本考案は、上の課題を解決するため、水の流入を防止しようとする部位の路面上に敷設される止水クッションと、該止水クッションの上部に設置される防水シートと、該防水シートの上部であって、前記路面上に敷設された止水クッションと重なる部位に載置される開閉可能な開口部を有する防水性袋に水を充填した水嚢とを有し、該水嚢を前記防水シートの余剰部分で包み込むことによって施工することを特徴とする水害時における止水用施工具を提案する。
【０００９】
本考案はまた、上の課題を解決するため、水の流入を防止しようとする部位の路面上に敷設される止水クッションと、該止水クッションの上部に設置される防水シートと、該防水シートの上部であって、前記路面上に敷設された止水クッションと重なる部位に載置される開閉可能な開口部を有する袋に土を充填した土嚢とを有し、該土嚢を前記防水シートの余剰部分で包み込むことによって施工することを特徴とする水害時における止水用施工具を提案する。
【００１０】
本考案では上とは別に、水の流入を防止しようとする部位の路面上に敷設される止水クッションと、該止水クッションの上部に設置される防水シートと、該防水シートの上部であって、前記路面上に敷設された止水クッションと重なる部位に載置される撥水性容器と、開閉可能な開口部を有する防水性袋に水を充填した水嚢とを有し、該水嚢を収納した前記撥水性容器を前記防水シートの余剰部分で包み込むことによって施工することを特徴とする水害時における止水用施工具を提案する。
【００１１】
本考案ではまた、水の流入を防止しようとする部位の路面上に敷設される止水クッションと、該止水クッションの上部に設置される防水シートと、該防水シートの上部であって、前記路面上に敷設された止水クッションと重なる部位に載置される撥水性容器と、開閉可能な開口部を有する袋に土を充填した土嚢とを有し、該土嚢を収納した前記撥水性容器を前記防水シートの余剰部分で包み込むことによって施工することを特徴とする水害時における止水用施工具を提案する。
【００１２】
本考案では更に、請求項１乃至請求項４に記載の水害時における止水用施工具であって、前記止水クッションは低反発の発泡ウレタン製又はゴムスポンジ製であることを特徴とする水害時における止水用施工具を提案する。
【考案の効果】
【００１３】
津波や堤防の決壊、ゲリラ豪雨などで発生した洪水や浸水では、流水の速度が思った以上に速いため、それに対応して止水するためには施工の迅速性が不可欠である。水嚢を用いた本考案では、蛇口を回して防水性袋の開口部から水を充填するだけで良いため、各家庭や各店舗で誰もが簡単に施工の準備を行うことができる。そのため、土の少ない都市部での施工に適している。また、土嚢を用いた本考案では、袋の開口部から土を充填すれば良いため、土の多い郊外での施工に適している。
【００１４】
また、水量や水流の激しい洪水や浸水では、水嚢や土嚢を幾段にも積み重ねることで止水用の施工が行われるが、水嚢又は土嚢と路面の間に生じた僅かな隙間からの水の流入を妨げることは困難である。本考案では水嚢又は土嚢を直に路面に敷き詰めるのではなく、路面との接地の密着性に優れた止水クッションを路面に敷設し、その上部に設置された防水シート上に水嚢又は土嚢を載置して施工するため、路面と密着した止水クッションによって水の流入を阻止することができる。
【００１５】
更に、水嚢又は土嚢をより安定的に積み重ねる場合は、防水シート上に水嚢又は土嚢を直に載置するのでなく、水嚢又は土嚢を収納した撥水性容器を載置することで、水嚢や土嚢の位置がズレたり崩れる事態を回避できるほか、防水シートを介して止水クッションに加わる荷重が均等化されるため、安定的な止水効果を期待することができる。また、利用した止水クッションや防水シートはもとより、水嚢や土嚢も水や土を排出するだけで再利用が可能なほか、自治体等による回収・処理の問題も生じないため、環境・衛生の点でもコストの点でも吸水ポリマーを用いたものに比べ、遥かに優れている。
【図面の簡単な説明】
【００１６】
【図１】図１は水害時における止水用施工具の施工手順を示す説明図である。（実施例１）
【図２】図２は水害時における止水用施工具の施工手順を示す説明図である。（実施例１）
【図３】図３は水害時における止水用施工具の施工手順を示す説明図である。（実施例１）
【図４】図４は水害時における止水用施工具の施工手順を示す説明図である。（実施例１）
【図５】図５は水害時における止水用施工具をＡＴＭコーナーに施す場合の施工手順を示す説明図である。（実施例１）
【図６】図６は水害時における止水用施工具をＡＴＭコーナーに施す場合の施工手順を示す説明図である。（実施例１）
【図７】図７は水害時における止水用施工具をＡＴＭコーナーに施す場合の施工手順を示す説明図である。（実施例１）
【図８】図８は水嚢又は土嚢を収納した撥水性容器を示す概略斜視図である（実施例２）
【図９】図９は水害時における止水用施工具をシャッター前に施す場合の施工手順を示す説明図である。（実施例２）
【図１０】図１０は水害時における止水用施工具をシャッター前に施す場合の施工手順を示す説明図である。（実施例２）
【考案を実施するための形態】
【実施例１】
【００１７】
本考案の一つの実施形態は、水嚢又は土嚢を防水シート上に直に載置するケースであり、その具体的な施工手順は図１乃至図４及び図５乃至図７に示すとおりである。１は止水クッション、２は防水シート、２ａは防水シートの遊離端部、３は水嚢又は土嚢、３ａは重石用の水嚢又は土嚢、４及び５は防水テープ、ＡはＡＴＭコーナーである。
【００１８】
本考案の主たる構成は止水クッション１、防水シート２、水嚢又は土嚢３より成る。止水クッション１は一般的には直方体のボード状を呈しており、低反発の発泡ウレタン製又はゴムスポンジ製のものが用いられるが、路面との接地の密着性が保てるものであれば、その形状や素材はこれに限定されない。防水シート２は一般的には長方形を呈しており、薄手のポリエチレン製のものが用いられるが、路面のほか水嚢又は土嚢との馴染みが良いものであれば、その性状や素材はこれに限定されない。水嚢又は土嚢３については、水嚢の場合は開閉可能な開口部を有するナイロンやポリエチレンの樹脂製素材からなる防水性袋が用いられ、その開口部から内部に水を充填して閉止したものであるが、防水性や開口部の密閉性に優れたものであればこれに限定されない。また、土嚢である場合も開閉可能な開口部を有する袋が用いられるが、内部に土を充填した際に容易に破損するものでなければ良く、必ずしも防水性であることを要しない。
【００１９】
本考案に係る水害時における止水用施工具を用いた基本的な施工手順を説明すると、先ず、図１に示すとおり、水の流入を防止しようとする部位の路面上に止水クッション１を敷設する。次いで、防水シート２を建造物（図示しない）の壁面に張り巡らし、防水シート２の一端と壁面上部とは防水テープ４で、壁面側部とは防水テープ５で、それぞれ固定する。
【００２０】
かくして、壁面への防水シート２の貼り付けが完了したら、防水シート２の遊離部を路面上に敷設した止水クッション１の上部を覆うように設置する。防水シート２の設置が完了したら、この防水シート２の上部であって、前記路面上に敷設した止水クッション１と重なる部位に水嚢又は土嚢３を載置する。
【００２１】
洪水や浸水の流量や流速が激しい場合若しくはそう予想される場合は、図２に示すとおり、水嚢又は土嚢３を二段に積み重ねることで耐性を増すことができ、また、路面上に敷設した止水クッション１への荷重が増すことから、止水クッション１と路面の接地の密着性が強まり、止水効果が一層高められることにもなる。
【００２２】
なお、水嚢又は土嚢３を防水シートの上部に載置する際、図示するように、水嚢又は土嚢３はその一部底面が止水クッション１と重なるよう載置されているが、このように施工することで、水嚢又は土嚢３の荷重が狭い範囲で止水クッション１に掛かり、より強く止水クッション１を路面に押し付けることになるため、接地の密着性が高められることになる。
【００２３】
防水シート２の上部への水嚢又は土嚢３の積み重ねが終わったら、次いで、図３に示すとおり、積み重ねた水嚢又は土嚢３を防水シート２の余剰部分で包み込むようにする。その際、防水シート２の遊離端部２ａを防水テープ５で固定することが望ましい。かくして、水嚢又は土嚢３を防水シート２で包み込んだら、図４に示すとおり、更にその上部に重石用の水嚢又は土嚢３ａを載置することで、流水に拠る防水シート２の剥離や遊離を防止することができる。
【００２４】
次に、本考案の実施例１を実際の建造物に施す場合の施工手順を、図５乃至図７に基づいて説明すると、以下のとおりである。先ず、図５に示すとおり、水の流入を防止しようとする部位の路面上に止水クッション１を敷設しておき、防水シート２の一端をＡＴＭコーナーＡの壁面に張り巡らし、防水テープ４で固定する。
【００２５】
防水シートのＡＴＭコーナーＡの壁面への貼り付けが完了したら、防水シート２の遊離部を路面上に敷設した止水クッション１の上部を覆うように設置する。続いて、図６に示すとおり、水嚢又は土嚢３を防水シート２の上部であって、前記路面上に敷設した止水クッション１と重なる部位に載置する。水嚢又は土嚢３の載置が完了したら、次いで、図７に示すとおり、防水シート２の余剰部分を折り返して積み重ねた水嚢又は土嚢３を包み込み、出来れば防水シート２の遊離端部２ａを防水テープ５にて壁面上で固定する。更に、防水シート２で包み込まれた水嚢又は土嚢３の上部に重石用の水嚢又は土嚢３ａを載置することで、施工が完了する。
【実施例２】
【００２６】
本考案のもう一つの実施形態は、水嚢又は土嚢を防水シート上に直に載置するのでなく、水嚢又は土嚢を収納した撥水性容器を防水シートの上部に載置するケースであり、その具体的な施工手順は図８及び図９乃至図１０に示すとおりである。６は撥水性容器、Ｂはシャッターである。
【００２７】
本実施例では、施工手順の流れは基本的に実施例１と同様であるが、水嚢又は土嚢３を防水シート２の上部に直に載置するのでなく、水嚢又は土嚢３を撥水性容器６に収納し、それを防水シート２の上部に載置する点で相違する。
【００２８】
先ず、図８に示すとおり、水嚢又は土嚢３を収納できる撥水性容器６を用意し、その中に水嚢又は土嚢３を収納しておく。次いで、図９に示すとおり、シャッターＢの前であって、水の流入を防止しようとする部位の路面上に止水クッション１を敷設しておく。次いで、シャッターＢの適宜の部位に防水シート２を張り巡らし、その一端とシャッターとを防水テープ４で固定する。
【００２９】
シャッターＢへの防水シート２の一端の貼り付けが完了したら、次いで、水嚢又は土嚢３を収納した撥水性容器６を、防水シート２の上部であって、路面上に敷設した止水クッション１と重なる部位に載置する。載置する撥水性容器６は水の流入を防止しようとするシャッターＢの幅員により連設する数が増減することは言うまでもない。なお、撥水性容器６の載置は相互に密接して連接することで、水流や水圧に拠る移動の影響を減じることができる。
【００３０】
かくして、水嚢又は土嚢３を収納した撥水性容器６の防水シート２上への載置・連設が完了したら、防水シート２の余剰部分を折り返し、図１０に示すとおり、水嚢又は土嚢３を収納した撥水性容器６を包み込む。撥水性容器６を包み込んだ防水シート２の遊離端部２ａはそのまま遊離していても構わないが、防水テープ５で固定することが望ましい。更に、防水シート２の流水に拠る剥離や遊離を防止するため、防水シート２で包み込まれた撥水性容器６の上部に重石用の水嚢又は土嚢３ａを載置したら、施工が完了する。
【００３１】
このように、本考案に係る止水用施工具を用いて実施例１及び実施例２のように施工を行うことで、度重なる実験の結果、約２１センチメートルの水位でも殆ど漏水や水の流入が生じないという、高い止水効果が確認された。
【産業上の利用可能性】
【００３２】
本考案に係る水害時における止水用施工具は、地震による津波、堤防決壊による河川の氾濫、スーパー台風、ゲリラ豪雨などによって発生する洪水や浸水の被害を最小限に食い止めるために利用できる。
【符号の説明】
【００３３】
１      止水クッション
２      防水シート
２ａ    防水シートの遊離端部
３      水嚢又は土嚢
３ａ    重石用の水嚢又は土嚢
４      防水テープ
５      防水テープ
６      撥水性容器
Ａ      ＡＴＭコーナー
Ｂ      シャッター
【図１】
0003202882.tif 000003
【図２】
0003202882.tif 000004
【図３】
0003202882.tif 000005
【図４】
0003202882.tif 000006
【図５】
0003202882.tif 000007
【図６】
0003202882.tif 000008
【図７】
0003202882.tif 000009
【図８】
0003202882.tif 000010
【図９】
0003202882.tif 000011
【図１０】
0003202882.tif 000012